(57)【特許請求の範囲】
【請求項１】
光の照射により光学特性が変化する記録層を備えた光学情報記録媒体を、フラッシュ光の照射により初期化する方法であって、
前記光学情報記録媒体を支持するための支持体に、少なくとも前記光学情報記録媒体の外周部近傍の第１の領域への前記フラッシュ光の入射量を、前記光学情報記録媒体の内周部と前記外周部との中間の第２の領域への前記フラッシュ光の入射量よりも少くするための入射光量調節手段として、前記支持体に支持された前記光学情報記録媒体の外周に沿って、前記フラッシュ光の光源側に突出した前記光学情報記録媒体の厚さよりも高い壁を形成し、
前記光学情報記録媒体を前記支持体により支持した状態で、前記光学情報記録媒体の全面に向けてフラッシュ光を照射し、少なくとも前記第２の領域を初期化する光学情報記録媒体の初期化方法。
【請求項２】
光の照射により光学特性が変化する記録層を備えた光学情報記録媒体を、フラッシュ光の照射により初期化する方法であって、
前記光学情報記録媒体を支持するための支持体に、少なくとも前記光学情報記録媒体の外周部近傍の第１の領域への前記フラッシュ光の入射量を、前記光学情報記録媒体の内周部と前記外周部との中間の第２の領域への前記フラッシュ光の入射量よりも少くするための入射光量調節手段として、前記支持体の前記光学情報記録媒体が載置される表面に光の反射率が異なる複数の領域を形成し、前記第２の領域に対向する領域の反射率を前記第１の領域に対向する領域の反射率よりも高くして、
前記光学情報記録媒体を前記支持体により支持した状態で、前記光学情報記録媒体の全面に向けてフラッシュ光を照射し、少なくとも前記第２の領域を初期化する光学情報記録媒体の初期化方法。
【請求項３】
光の照射により光学特性が変化する記録層を備えた光学情報記録媒体を、フラッシュ光の照射により初期化する方法であって、
前記光学情報記録媒体を支持するための支持体に、少なくとも前記光学情報記録媒体の外周部近傍の第１の領域への前記フラッシュ光の入射量を、前記光学情報記録媒体の内周部と前記外周部との中間の第２の領域への前記フラッシュ光の入射量よりも少くするための入射光量調節手段として、前記支持体の前記光学情報記録媒体が載置される表面のうち、少なくとも前記第１の領域に対向する部分に凹みを形成し、
前記光学情報記録媒体を前記支持体により支持した状態で、前記光学情報記録媒体の全面に向けてフラッシュ光を照射し、少なくとも前記第２の領域を初期化する光学情報記録媒体の初期化方法。
【請求項４】
光の照射により光学特性が変化する記録層を備えた光学情報記録媒体を、フラッシュ光の照射により初期化する方法であって、
前記光学情報記録媒体を支持するための支持体に、少なくとも前記光学情報記録媒体の外周部近傍の第１の領域および内周部近傍の第３の領域への前記フラッシュ光の入射量を、前記光学情報記録媒体の前記内周部と前記外周部との中間の第２の領域への前記フラッシュ光の入射量よりも少くするための入射光量調節手段として、前記支持体に支持された前記光学情報記録媒体の外周及び内周に沿って、前記フラッシュ光の光源側に突出した前記光学情報記録媒体の厚さよりも高い壁を形成し、
前記光学情報記録媒体を前記支持体により支持した状態で、前記光学情報記録媒体の全面に向けてフラッシュ光を照射し、少なくとも前記第２の領域を初期化する光学情報記録媒体の初期化方法。
【請求項５】
光の照射により光学特性が変化する記録層を備えた光学情報記録媒体を、フラッシュ光の照射により初期化する方法であって、
前記光学情報記録媒体を支持するための支持体に、少なくとも前記光学情報記録媒体の外周部近傍の第１の領域および内周部近傍の第３の領域への前記フラッシュ光の入射量を、前記光学情報記録媒体の前記内周部と前記外周部との中間の第２の領域への前記フラッシュ光の入射量よりも少くするための入射光量調節手段として、前記支持体の前記光学情報記録媒体が載置される表面に光の反射率が異なる複数の領域を形成し、前記第２の領域に対向する領域の反射率を前記第１の領域及び前記第３の領域に対向する領域の反射率よりも高くして、
前記光学情報記録媒体を前記支持体により支持した状態で、前記光学情報記録媒体の全面に向けてフラッシュ光を照射し、少なくとも前記第２の領域を初期化する光学情報記録媒体の初期化方法。
【請求項６】
光の照射により光学特性が変化する記録層を備えた光学情報記録媒体を、フラッシュ光の照射により初期化する方法であって、
前記光学情報記録媒体を支持するための支持体に、少なくとも前記光学情報記録媒体の外周部近傍の第１の領域および内周部近傍の第３の領域への前記フラッシュ光の入射量を、前記光学情報記録媒体の前記内周部と前記外周部との中間の第２の領域への前記フラッシュ光の入射量よりも少くするための入射光量調節手段として、前記支持体の前記光学情報記録媒体が載置される表面のうち、少なくとも前記第１の領域及び前記第３の領域に対向する部分を凹ませて、
前記光学情報記録媒体を前記支持体により支持した状態で、前記光学情報記録媒体の全面に向けてフラッシュ光を照射し、少なくとも前記第２の領域を初期化する光学情報記録媒体の初期化方法。
【請求項７】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、前記支持体に支持された前記光学情報記録媒体の外周に沿って、前記フラッシュ光の光源側に突出した前記光学情報記録媒体の厚さよりも高い壁であることを特徴とする光学情報記録媒体の初期化装置。
【請求項８】
前記壁の高さを調節する調節手段を有する請求項７記載の光学情報記録媒体の初期化装置。
【請求項９】
前記入射光量調節手段は略円筒状の枠体であり、前記支持体は前記枠体及び前記枠体の中心軸に平行に移動可能なテーブルを含む請求項８記載の光学情報記録媒体の初期化装置。
【請求項１０】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、テーブル状の支持体上に載置された光学情報記録媒体の外周部と嵌合する内周部を有する枠体である光学情報記録媒体の初期化装置。
【請求項１１】
前記壁の高さをｄ、前記支持体のテーブル面から前記光学情報記録媒体中の記録層までの高さをｈ、前記光学情報記録媒体の中心から外周端までの距離をＡ、前記光学情報記録媒体の中心から初期化すべき前記第２の領域の外周端までの距離をａとして、ｄ≧ｈ＋（Ａ−ａ）を満足する請求項７に記載の光学情報記録媒体の初期化装置。
【請求項１２】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、前記支持体の前記光学情報記録媒体が載置される表面に形成された光の反射率が異なる複数の領域を有し、前記第２の領域に対向する領域の反射率が前記第１の領域に対向する領域の反射率よりも高いことにより構成された光学情報記録媒体の初期化装置。
【請求項１３】
前記支持体の前記光学情報記録媒体が設置される表面の内、前記第２の領域に対向する領域は鏡面化処理が施され、前記第１の領域に対向する領域は黒色化処理又は粗面化処理が施されている請求項１２記載の光学情報記録媒体の初期化装置。
【請求項１４】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、前記支持体の前記光学情報記録媒体が載置される表面のうち、少なくとも前記第１の領域に対向する部分に形成された凹部である光学情報記録媒体の初期化装置。
【請求項１５】
前記支持体の前記光学情報記録媒体が設置される表面の内、前記第２の領域に対向する領域は鏡面化処理が施されている請求項１４記載の光学情報記録媒体の初期化装置。
【請求項１６】
前記凹部の内面に黒色化処理又は粗面化処理が施されている請求項１４記載の記録媒体の初期化装置。
【請求項１７】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、前記支持体に支持された前記光学情報記録媒体の外周及び内周に沿って、前記フラッシュ光の光源側に突出した前記光学情報記録媒体の厚さよりも高い壁であることを特徴とする光学情報記録媒体の初期化装置。
【請求項１８】
前記壁の高さを調節する調節手段を有する請求項１７記載の光学情報記録媒体の初期化装置。
【請求項１９】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は略円筒状の枠体及び前記枠体の中心軸上に設けられた突起であり、前記支持体は前記枠体、前記突起及び前記枠体の中心軸に平行に移動可能なテーブルを含む光学情報記録媒体の初期化装置。
【請求項２０】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、テーブル状の支持体上に載置された光学情報記録媒体の外周部と嵌合する内周部を有する枠体、及び前記光学情報記録媒体の内周部と嵌合する外周部を有する突起である光学情報記録媒体の初期化装置。
【請求項２１】
前記壁の高さをｄ、前記支持体のテーブル面から前記光学情報記録媒体中の記録層までの高さをｈ、前記光学情報記録媒体の中心から外周端までの距離をＡ、前記光学情報記録媒体の中心から初期化すべき前記第２の領域の外周端までの距離をａとして、ｄ≧ｈ＋（Ａ−ａ）を満足する請求項１７に記載の光学情報記録媒体の初期化装置。
【請求項２２】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、前記支持体の前記光学情報記録媒体が載置される表面に形成された光の反射率が異なる複数の領域を有し、前記第２の領域に対向する領域の反射率が前記第１の領域及び第３の領域に対向する領域の反射率よりも高い光学情報記録媒体の初期化装置。
【請求項２３】
前記支持体の前記光学情報記録媒体が設置される表面の内、前記第２の領域に対向する領域は鏡面化処理が施され、前記第１の領域及び第３の領域に対向する領域は黒色化処理又は粗面化処理が施されている請求項２２記載の光学情報記録媒体の初期化装置。
【請求項２４】
光の照射により光学特性が変化する記録層を備えた光学情報記録媒体の初期化装置であって、
前記光学情報記録媒体を支持するための支持体と、
前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、
前記光学情報記録媒体を前記支持体により支持した状態で、前記光学情報記録媒体の全面に向けてフラッシュ光を照射するフラッシュ光源とを具備し、
前記入射光量調節手段は、前記支持体の前記光学情報記録媒体が載置される表面のうち、少なくとも前記第１の領域及び第３の領域に対向する部分に形成された凹部である光学情報記録媒体の初期化装置。
【請求項２５】
前記支持体の前記光学情報記録媒体が設置される表面の内、前記第２の領域に対向する領域は鏡面化処理が施されている請求項２４記載の光学情報記録媒体の初期化装置。
【請求項２６】
前記凹部の内面に黒色化処理又は粗面化処理が施されている請求項２４記載の記録媒体の初期化装置。
【発明の詳細な説明】
【０００１】
【発明の属する技術分野】
本発明は、基板上に形成されたレーザ光線等の照射により光学特性が変化する記録層を有する光学情報記録媒体の初期化方法及び初期化装置に関する。
【０００２】
【従来の技術】
一般的に、相変化光記録媒体及び光磁気記録媒体を含む光学情報記録媒体の初期化方法として、フラッシュ光を光学情報記録媒体の記録面全体に一括して照射することが行われている。フラッシュ光による光学情報記録媒体の初期化では、光学情報記録媒体の全面を一括して初期化することができ、初期化（結晶化）に要する時間は１〜２ｍｓである。なお、相変化光記録媒体では、通常データの記録は記録薄膜層の各領域を結晶状態からアモルファス状態に変化させることにより行うので、記録を行なう前に記録薄膜層の記録領域全体を予め結晶状態に転換することを初期化という。一方、光磁気記録媒体では、記録前に記録薄膜層の裏磁化方向を揃えることを初期化という。
【０００３】
しかしながら、例えばディスク状の光学情報記録媒体をフラッシュ光の照射により全面を一括して初期化した場合、光学情報記録媒体の外周端付近と内周端付近における記録層等にクラックやシワが発生する場合がある。この原因としては以下の事が考えられる。
【０００４】
光学情報記録媒体の記録層がフラッシュ光を吸収すると、記録層の温度が急激に上昇する。通常、記録層上に金属からなる反射層が形成されており、記録層及び反射層の熱伝導率は基板や保護層の熱伝導率よりも高いので、記録層で発生する熱は、これらを通して周囲に拡散する。しかし、光学情報記録媒体の外周端より外側及び内周端より内側には記録層がなく、開放されているので、外周端近傍領域及び内周端近傍領域は、放熱が制限される。このため、外周端近傍領域及び内周端近傍領域の記録層の温度は、これらの中間の領域の記録層の温度よりも高くなり、熱負荷が大きくなる。その結果、外周端近傍領域及び内周端近傍領域の記録層にクラックやシワが発生する。
【０００５】
一般的に、光学情報記録媒体の外周端近傍領域及び内周端近傍領域は、情報記録再生装置等へ装着する際のチャッキング用のマージンとして用いられ、情報の記録再生は行われない。しかしながら、これらの領域にクラックやシワが発生すると、クラック部分から記録層の内部に水分や不要物質が侵入し、これらの領域以外の記録層における情報の記録再生の際の誤動作の原因となったり、光学情報記録媒体を劣化させる原因となる。
【０００６】
これらクラックやシワの発生を防止するために、例えば、特開平１−３００４３９号公報には、光学情報記録媒体の外周端近傍領域及び内周端近傍領域を初期化しない光学情報記録媒体の初期化装置が提案されている。光学情報記録媒体の外周端近傍領域及び内周端近傍領域の記録層を初期化しない従来の光学情報記録媒体の初期化装置について、図１０を参照しつつ説明する。
【０００７】
図１０に示す従来の光学情報記録媒体の初期化装置では、支持体８０上のディスク状の光学情報記録媒体１にマスク８１及び８２を載置し、フラッシュランプ４からの照射光のうち、光学情報記録媒体１の外周端近傍領域及び内周端近傍領域への入射光を遮蔽する。その結果、外周端近傍領域及び内周端近傍領域は初期化されず、これらの領域における記録層の温度上昇が低減し、クラックやシワの発生が防止される。
【０００８】
なお、光学情報記録媒体１の内周端近傍領域に関しては、実際に情報が記録される領域に対して余裕があるため、若干のクラックやシワの発生は許容できる場合もある。そのため、光学情報記録媒体１の内周端近傍領域での記録層のクラックやシワの発生が許容できる場合は、光学情報記録媒体１の内周端近傍領域を覆うようにマスク８２を省略してもよい。
【０００９】
【発明が解決しようとする課題】
しかしながら、図１０に示した従来の初期化装置を用いて光学情報記録媒体の初期化を行う場合、各光学情報記録媒体１ごとにマスク８１、８２を載置しなければならず、またその位置決めが困難である。そのため、例えば光学情報記録媒体の生産ライン等で多数の光学情報記録媒体の初期化を行う場合、作業効率が悪く、生産性が低いという問題点を有していた。
【００１０】
本発明は、上記従来例の問題点を解決するためになされたものであり、簡単な操作により、光学情報記録媒体の少なくとも外周端近傍領域を除くその他の部分のみを初期化し、光学情報記録媒体の端部付近でのクラックやシワの発生を防止し得る初期化方法及び初期化装置を提供することを目的としている。
【００１１】
【課題を解決するための手段】
本発明の第１の構成の光学情報記録媒体の初期化方法は、光の照射により光学特性が変化する記録層を備えた光学情報記録媒体を、フラッシュ光の照射により初期化する方法であって、前記光学情報記録媒体を支持するための支持体に、少なくとも前記光学情報記録媒体の外周部近傍の第１の領域への前記フラッシュ光の入射量を、前記光学情報記録媒体の内周部と前記外周部との中間の第２の領域への前記フラッシュ光の入射量よりも少くするための入射光量調節手段として、前記支持体に支持された前記光学情報記録媒体の外周に沿って、前記フラッシュ光の光源側に突出した前記光学情報記録媒体の厚さよりも高い壁を設け、前記光学情報記録媒体を前記支持体により支持した状態で、前記光学情報記録媒体の全面に向けてフラッシュ光を照射し、少なくとも前記第２の領域を初期化する。
【００１３】
入射光量調節手段として形成した壁の存在により、光学情報記録媒体の外周部近傍の第１の領域に斜めに入射する光の一部が遮られ、第１の領域に入射する光量が第２の領域に入射する光量よりも少なくなる。その結果、少なくとも第２の領域が初期化された時点での第１の領域の記録層の温度上昇を小さくすることができ、第１の領域での記録層のクラックやシワの発生を防止することができる。また、光学情報記録媒体を支持体上に載置する際、壁が位置決めガイドとして機能し、光学情報記録媒体の位置決めが容易になる。
【００１４】
本発明の第２の構成の光学情報記録媒体の初期化方法は、光の照射により光学特性が変化する記録層を備えた光学情報記録媒体を、フラッシュ光の照射により初期化する方法であって、前記光学情報記録媒体を支持するための支持体に、少なくとも前記光学情報記録媒体の外周部近傍の第１の領域への前記フラッシュ光の入射量を、前記光学情報記録媒体の内周部と前記外周部との中間の第２の領域への前記フラッシュ光の入射量よりも少くするための入射光量調節手段として、前記支持体の前記光学情報記録媒体が載置される表面に光の反射率が異なる複数の領域を形成し、前記第２の領域に対向する領域の反射率を前記第１の領域に対向する領域の反射率よりも高くして、前記光学情報記録媒体を前記支持体により支持した状態で、前記光学情報記録媒体の全面に向けてフラッシュ光を照射し、少なくとも前記第２の領域を初期化する。
支持体表面の第２の領域に対向する領域の反射率を第１の領域に対向する領域の反射率よりも高くすることにより、光学情報記録媒体を透過して支持体により反射され、再度光学情報記録媒体に入射する光量に関して、第２の領域に再入射する光量が第１の領域に再入射する光量よりも多くなる。その結果、少なくとも第２の領域が初期化された時点での第１の領域の記録層の温度上昇を小さくすることができ、第１の領域での記録層のクラックやシワの発生を防止することができる。また、反射率の高い領域を目印にして光学情報記録媒体の位置決めをすることができ、位置決め作業が容易になる。
【００１５】
本発明の第３の構成の光学情報記録媒体の初期化方法は、光の照射により光学特性が変化する記録層を備えた光学情報記録媒体を、フラッシュ光の照射により初期化する方法であって、前記光学情報記録媒体を支持するための支持体に、少なくとも前記光学情報記録媒体の外周部近傍の第１の領域への前記フラッシュ光の入射量を、前記光学情報記録媒体の内周部と前記外周部との中間の第２の領域への前記フラッシュ光の入射量よりも少くするための入射光量調節手段として、前記支持体の前記光学情報記録媒体が載置される表面のうち、少なくとも前記第１の領域に対向する部分に凹みを形成し、前記光学情報記録媒体を前記支持体により支持した状態で、前記光学情報記録媒体の全面に向けてフラッシュ光を照射し、少なくとも前記第２の領域を初期化する。
支持体表面の第１の領域に対向する部分を凹ませることにより、光学情報記録媒体を透過して支持体により反射され、再度光学情報記録媒体に入射する光量に関して、第２の領域に再入射する光量が第１の領域に再入射する光量よりも多くなる。その結果、少なくとも第２の領域が初期化された時点での第１の領域の温度上昇を小さくすることができ、第１の領域での記録層のクラックやシワの発生を防止することができる。また、凹みを目印にして光学情報記録媒体の位置決めをすることができ、位置決め作業が容易になる。
【００１７】
本発明の第４の構成の光学情報記録媒体の初期化方法は、光の照射により光学特性が変化する記録層を備えた光学情報記録媒体を、フラッシュ光の照射により初期化する方法であって、前記光学情報記録媒体を支持するための支持体に、少なくとも前記光学情報記録媒体の外周部近傍の第１の領域および内周部近傍の第３の領域への前記フラッシュ光の入射量を、前記光学情報記録媒体の前記内周部と前記外周部との中間の第２の領域への前記フラッシュ光の入射量よりも少くするための入射光量調節手段として、前記支持体に支持された前記光学情報記録媒体の外周及び内周に沿って、前記フラッシュ光の光源側に突出した前記光学情報記録媒体の厚さよりも高い壁を形成し、前記光学情報記録媒体を前記支持体により支持した状態で、前記光学情報記録媒体の全面に向けてフラッシュ光を照射し、少なくとも前記第２の領域を初期化する。
本発明の第５の構成の光学情報記録媒体の初期化方法は、光の照射により光学特性が変化する記録層を備えた光学情報記録媒体を、フラッシュ光の照射により初期化する方法であって、前記光学情報記録媒体を支持するための支持体に、少なくとも前記光学情報記録媒体の外周部近傍の第１の領域および内周部近傍の第３の領域への前記フラッシュ光の入射量を、前記光学情報記録媒体の前記内周部と前記外周部との中間の第２の領域への前記フラッシュ光の入射量よりも少くするための入射光量調節手段として、前記支持体の前記光学情報記録媒体が載置される表面に光の反射率が異なる複数の領域を形成し、前記第２の領域に対向する領域の反射率が前記第１の領域及び前記第３の領域に対向する領域の反射率よりも高くする。
本発明の第６の構成の光学情報記録媒体の初期化方法は、光の照射により光学特性が変化する記録層を備えた光学情報記録媒体を、フラッシュ光の照射により初期化する方法であって、前記光学情報記録媒体を支持するための支持体に、少なくとも前記光学情報記録媒体の外周部近傍の第１の領域および内周部近傍の第３の領域への前記フラッシュ光の入射量を、前記光学情報記録媒体の前記内周部と前記外周部との中間の第２の領域への前記フラッシュ光の入射量よりも少くするための入射光量調節手段として、前記支持体の前記光学情報記録媒体が載置される表面のうち、少なくとも前記第１の領域及び前記第３の領域に対向する部分が凹ませる。
これらの構成により、第１の領域及び第３の領域に入射する光量が第２の領域に入射する光量よりも少なくなり、少なくとも第２の領域が初期化された時点での第１の領域及び第３の領域の記録層の温度上昇を小さくすることができ、第１の領域及び第３の領域での記録層のクラックやシワの発生を防止することができる。
【００２０】
一方、本発明の第１の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、前記支持体に支持された前記光学情報記録媒体の外周に沿って、前記フラッシュ光の光源側に突出した前記光学情報記録媒体の厚さよりも高い壁である。
この壁により、光学情報記録媒体の外周部近傍の第１の領域に斜めに入射する光の一部が遮られ、第１の領域に入射する光量が第２の領域に入射する光量よりも少なくなる。その結果、少なくとも第２の領域が初期化された時点での第１の領域における記録層の温度上昇を小さくすることができ、第１の領域での記録層のクラックやシワの発生を防止することができる。また、光学情報記録媒体を支持体上に載置する際、壁が位置決めガイドとして機能し、光学情報記録媒体の位置決めが容易になる。
【００２１】
さらに、前記壁の高さを調節する調節手段を有することが好ましい。特に、前記入射光量調節手段は略円筒状の枠体であり、前記支持体は前記枠体及び前記枠体の中心軸に平行に移動可能なテーブルを含むことが好ましい。
壁の高さを調節することにより、壁により第１の領域に斜めに入射する光が遮られる範囲を調節することができる。その結果、厚さや構造等の異なる複数の種類の光学情報記録媒体を、同一の装置で初期化をすることができる。また、光学情報記録媒体を支持体上に載置した後、壁の高さを微調整できるので、初期化すべき領域とクラック等の発生を防止すべき領域との区別を精度よく行うことができる。
【００２２】
本発明の第２の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、テーブル状の支持体上に載置された光学情報記録媒体の外周部と嵌合する内周部を有する枠体である。
この様な構成により、フラットな支持体上の任意の位置に枠体を載置し、この枠体をガイドとして光学情報記録媒体の位置決めを容易に行うことができる。
特に、支持体の表面積及びフラッシュ光源の照射領域を光学情報記録媒体の大きさよりもはるかに大きくすることにより、多数の光学情報記録媒体を一度に初期化することができる。
【００２３】
上記構成において、前記壁の高さをｄ、前記支持体のテーブル面から前記光学情報記録媒体中の記録層までの高さをｈ、前記光学情報記録媒体の中心から外周端までの距離をＡ、前記光学情報記録媒体の中心から初期化すべき前記第２の領域の外周端までの距離をａとして、ｄ≧ｈ＋（Ａ−ａ）を満足することが好ましい。
この条件を満足することにより、情報の記録に関して実用的に充分な初期化領域（第２の領域）を有し、かつその外周部近傍領域（第１の領域）の記録層にクラックやシワのない光学情報記録媒体が得られる。
【００２４】
本発明の第３の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、前記支持体の前記光学情報記録媒体が載置される表面に形成された光の反射率が異なる複数の領域を有し、前記第２の領域に対向する領域の反射率が前記第１の領域に対向する領域の反射率よりも高いことにより構成される。
特に、前記支持体の前記光学情報記録媒体が設置される表面の内、前記第２の領域に対向する領域は鏡面化処理が施され、前記第１の領域に対向する領域は黒色化処理又は粗面化処理が施されていることが好ましい。
【００２５】
支持体表面の第２の領域に対向する領域の反射率を第１の領域に対向する領域の反射率よりも高くすることにより、光学情報記録媒体を透過して支持体により反射され、再度光学情報記録媒体に入射する光量に関して、第２の領域に再入射する光量が第１の領域に再入射する光量よりも多くなる。その結果、少なくとも第２の領域が初期化された時点での第１の領域の記録層の温度上昇を小さくすることができ、第１の領域での記録層のクラックやシワの発生を防止することができる。また、鏡面化処理が施された反射率の高い領域を目印にして光学情報記録媒体の位置決めをすることができ、位置決め作業が容易になる。
【００２６】
本発明の第４の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、前記支持体の前記光学情報記録媒体が載置される表面のうち、少なくとも前記第１の領域に対向する部分に形成された凹部である。
特に、前記支持体の前記光学情報記録媒体が設置される表面の内、前記第２の領域に対向する領域は鏡面化処理が施されていることが好ましい。さらに、前記凹部の内面に黒色化処理又は粗面化処理が施されていることが好ましい。
【００２７】
支持体表面の第１の領域に対向する部分を凹ませることにより、光学情報記録媒体を透過して支持体により反射され、再度光学情報記録媒体に入射する光量に関して、第２の領域に再入射する光量が第１の領域に再入射する光量よりも多くなる。その結果、少なくとも第２の領域が初期化された時点での第１の領域の記録層の温度上昇を小さくすることができ、第１の領域での記録層のクラックやシワの発生を防止することができる。また、凹みを目印にして光学情報記録媒体の位置決めをすることができ、位置決め作業が容易になる。
【００２９】
本発明の第５の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、前記支持体に支持された前記光学情報記録媒体の外周及び内周に沿って、前記フラッシュ光の光源側に突出した前記光学情報記録媒体の厚さよりも高い壁である。
前記壁の高さを調節する調節手段を有することが好ましい。
本発明の第６の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は略円筒状の枠体及び前記枠体の中心軸上に設けられた突起であり、前記支持体は前記枠体、前記突起及び前記枠体の中心軸に平行に移動可能なテーブルを含む。
【００３０】
本発明の第７の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、テーブル状の支持体上に載置された光学情報記録媒体の外周部と嵌合する内周部を有する枠体、及び前記光学情報記録媒体の内周部と嵌合する外周部を有する突起である。
また、前記壁の高さをｄ、前記支持体のテーブル面から前記光学情報記録媒体中の記録層までの高さをｈ、前記光学情報記録媒体の中心から外周端までの距離をＡ、前記光学情報記録媒体の中心から初期化すべき前記第２の領域の外周端までの距離をａとして、ｄ≧ｈ＋（Ａ−ａ）を満足することが好ましい。
【００３１】
本発明の第８の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、前記支持体の前記光学情報記録媒体が載置される表面に形成された光の反射率が異なる複数の領域を有し、前記第２の領域に対向する領域の反射率が前記第１の領域及び第３の領域に対向する領域の反射率よりも高いことにより構成される。
また、前記支持体の前記光学情報記録媒体が設置される表面の内、前記第２の領域に対向する領域は鏡面化処理が施され、前記第１の領域及び第３の領域に対向する領域は黒色化処理又は粗面化処理が施されていることが好ましい。
【００３２】
本発明の第９の構成の光学情報記録媒体の初期化装置は、光の照射により光学特性が変化する記録層を備えた光学情報記録媒体の初期化装置であって、前記光学情報記録媒体を支持するための支持体と、前記支持体に設けられ、少なくとも前記光学情報記録媒体の外周部近傍の第１の領域および内周部近傍の第３の領域への前記フラッシュ光の入射量を、前記光学情報記録媒体の中央部と前記端部との中間の第２の領域への前記フラッシュ光の入射量よりも少くするための入射光量調節手段と、前記光学情報記録媒体を前記支持体により支持した状態で、前記光学情報記録媒体の全面に向けてフラッシュ光を照射するフラッシュ光源とを具備し、前記入射光量調節手段は、前記支持体の前記光学情報記録媒体が載置される表面のうち、少なくとも前記第１の領域及び第３の領域に対向する部分に形成された凹部である。
また、前記支持体の前記光学情報記録媒体が設置される表面の内、前記第２の領域に対向する領域は鏡面化処理が施されていることが好ましい。
また、前記凹部の内面に黒色化処理又は粗面化処理が施されていることが好ましい。
【００３３】
（第１の実施例）
本発明の光学情報記録媒体の初期化方法及び初期化装置の第１の実施例について説明する。図１は、第１の実施例の光記録媒体の初期化装置の構成を示す断面斜視図である。図２（ａ）は、図１に示された初期化装置による光学情報記録媒体の初期化状態における符号Ｘで特定した円内の拡大断面図である。図２（ｂ）は、光学情報記録媒体１の外周端近傍領域１３ａ、内周端近傍領域１３ｃ及び初期化領域１３ｂの位置関係を示す図である。
【００３４】
図１に示すように、支持体２は、略円筒状の枠体１４と、枠体１４の中心軸上に設けられた突起１５と、枠体１４と突起１５との間のリング状の凹み３に嵌合し、枠体１４の中心軸方向に上下動するリング状のテーブル１８と、凹み３の深さ、すなわち、枠体１４及び突起１５による壁の高さを調節するための調節機構２１等を具備する。調節機構２１は、枠体１４の底板１４ａに設けられためねじ及びめねじと螺合するおねじ２１ａ等で構成されている。
【００３５】
支持体２の材料として、金属や樹脂等の種々の材料を用いることができる。特に、形状的安定性及び耐候性に優れたステンレス鋼、炭素鋼、銅、銅合金、真鍮、アルミニウム及びアルミニウム合金等を用いることが望ましい。
【００３６】
図２（ｂ）に示すように、光学情報記録媒体１はリング状又は中央部にチャッキング用の嵌合穴１ａを有するディスク状である。光学情報記録媒体１の内、外周端から約１〜２ｍｍの範囲の外周端近傍領域（第１の領域）１３ａ及び内周端から約１０〜１５ｍｍの範囲の内周端近傍領域（第３の領域）１３ｃは、情報が記録されない、いわゆるマージン部分であり、必ずしも初期化する必要はない。また、これらの領域間の初期化領域（第２の領域）１３ｂは情報が記録される部分であり、初期化する必要がある。枠体１４の内径は、光学情報記録媒体１の外径Ｄよりも所定の嵌合公差分だけ大きい。また、突起１５の外径は、光学情報記録媒体１の中央部の嵌合穴１ａの径よりも所定の嵌合公差分だけ小さい。従って、光学情報記録媒体１は、リング状のテーブル１８上に載置されると、ほとんど動かず、極めて高い精度で位置決めされる。
【００３７】
図２（ａ）に示すように、光学情報記録媒体１は、基板１９上に保護層、記録層及び反射層を順に積層した記録多層膜１６及び記録多層膜１６上に形成された表面保護層２０で構成されている。基板１９はＰＭＭＡ（ポリメチルメタクリレート），ポリカーボネート等の樹脂或はガラス等の材料からなる。記録多層膜１６のうち、保護層は、ＳｉＮ、ＡｌＮ等の窒化物、ＴｉＯ２  、ＳｉＯ２  等の酸化物、ＺｎＳ等の硫化物、又はＺｎＳ−ＳｉＯ２  等の混合材料からなる。記録層は、Ｇｅ−Ｓｂ−Ｔｅ系材料等の光相変化材料やＦｅ−Ｔｂ−Ｃｏ系材料等の光磁気材料からなる。反射層は、Ａｕ、Ａｌ、Ｎｉ、Ｃｒ等の金属元素又はこれらの金属を主成分とする合金からなる。表面保護層２０は、樹脂をスピンコートした樹脂層や、接着剤を用いて反射層表面に貼り合わせた基板と同様の樹脂板又はガラス板からなる。
【００３８】
完成品の光学情報記録媒体の形態としては、上記構成を有する光学情報記録媒体１そのものであって、片面から情報の記録、再生及び消去を行うものだけでなく、上記構成を有する２枚の光学情報記録媒体１を、それらの反射層どうしを直接又は中間基板を介して接着剤で貼り合わせ、両面から情報の記録、再生及び消去を行うものであってもよい。なお、光学情報記録媒体１の記録層が、Ｆｅ−Ｔｅ−Ｃｏ系材料等の光磁気材料により形成されたものである場合、光磁気材料の磁化の向きを一定の方向に配向させるための磁場発生手段（図示せず）を用いる。
【００３９】
図１に示すように、光照射装置１００は、フラッシュランプ４とフラッシュランプ４の端子と並列に接続された閃光駆動回路１７等で構成されている。フラッシュランプ４の有効発光長Ｌは、光学情報記録媒体１の直径Ｄよりも長くなるように選択されている。図１では、直線状のフラッシュランプ４を１本のみ配置しているが、初期化しようとする光学情報記録媒体の形状や面積、同時に初期化する光学情報記録媒体の数等に合わせて、複数の直線状のランプを並列に配置してもよいし、渦巻状のフラッシュランプを用いてもよい。すなわち、光照射装置１００による光の照射領域の面積が、初期化しようとする光学情報記録媒体１の面積よりも大きいことが必要である。
【００４０】
閃光駆動回路１７は、フラッシュランプ４を閃光させるために必要な電気エネルギーを蓄積するメインコンデンサ５と、メインコンデンサ５を充電するための電源６と、メインコンデンサ５の充電、遮断及び過剰充電量の放電を切り換えるための切り換えスイッチ７、フラッシュランプ４の陰極と陽極との間に放電を起こさせるためのトリガスイッチ８、トリガコイル９及びトリガコンデンサ１０等で構成されている。トリガコンデンサ１０には、あらかじめ充電抵抗１１を通して電圧Ｖｔｒが印加されている。
【００４１】
光照射装置１００の閃光駆動回路１７のトリガスイッチ８を閉じると、トリガコンデンサ１０に蓄えられたエネルギーが、トリガコイル９により高周波・高電圧のエネルギーに変換され、フラッシュランプ４のトリガ電極に印加される。この高周波・高電圧により、フラッシュランプ４の内部のキセノンガスがイオン化され、陰極と陽極との間に急激な放電が開始される。この結果、メインコンデンサ５に蓄えられたエネルギーが光エネルギーに変換され、フラッシュランプ４が瞬間的に発光し、この発光により生じたフラッシュ光１２が光学情報記録媒体１の表面に照射される。例えば、複数の直線状のフラッシュランプ４を並列した場合、各フラッシュランプ４からあらゆる方向にフラッシュ光１２が照射される。
【００４２】
次に、図１に示す第１の実施例の光学情報記録媒体の初期化装置の動作、すなわち第１の実施例の光学情報記録媒体の初期化方法について説明する。
まず、ディスク状の光記録媒体１を、支持体２のテーブル１８上に載置する。ここで、あらかじめ調節機構２１を調節することにより、凹み３の深さ（又は枠体１４及び突起１５による壁の高さ）が光学情報記録媒体１の厚さよりも深く（又は高く）なるように設定されている。
【００４３】
光学情報記録媒体１の表面は、枠体１４及び突起１５の表面と比較して、フラッシュランプ４から遠い、すなわち凹んだ位置にある。一方、フラッシュランプ４からのフラッシュ光１２には、光学情報記録媒体１の表面に対して直角に入射する成分だけでなく、斜めに入射する成分も含まれる。従って、図２（ａ）に示すように、光学情報記録媒体１の表面に対して斜めに入射するフラッシュ光１２の内、一部は枠体１４及び突起１５による壁により遮られる。光学情報記録媒体１の内、枠体１４に隣接する外周端近傍領域１３ａ及び突起１５に隣接する内周端近傍領域１３ｃへの入射光量は、これらの領域間の初期化領域１３ｂへの入射光量に比べて少なくなる。光学情報記録媒体１の大部分である初期化領域１３ｂは、このフラッシュ光１２の照射により初期化に必要なエネルギーを受け、初期化される。しかし、初期化領域１３ｂが初期化された時点では、外周端近傍領域１３ａ及び内周端近傍領域１３ｃは、初期化に必要なエネルギーを受けていないため初期化されず、記録層の温度上昇も小さい。その結果、外周端近傍領域１３ａ及び内周端近傍領域１３ｃにおける記録層のクラックやシワの発生を防止することができる。
【００４４】
比較例として、上記支持体２を用いずに、光学情報記録媒体１の全面に均一にフラッシュ光１２を照射し、光学情報記録媒体１の初期化を行った。その際の、光学情報記録媒体１の表面における半径方向の照射強度（入射光量）分布を図３（ａ）に、光学情報記録媒体１半径方向の温度分布を図３（ｂ）に示す。また、図１に示す第１の実施例の光学情報記録媒体の初期化装置を用いて初期化を行った光学情報記録媒体１の表面における半径方向の照射強度分布を図３（ｃ）に、光学情報記録媒体１の半径方向の温度分布を図３（ｄ）に示す。
【００４５】
図３（ａ）に示すように、比較例では支持体２を用いていないので、光学情報記４５録媒体１の全面にフラッシュ光１２が均一に照射され、外周端近傍領域１３ａ及び内周端近傍領域１３ｃにおける照射強度は、初期化領域１３ｂにおける照射強度と等しい。フラッシュ光１２は、光学情報記録媒体１の記録層を結晶状態に転換させるのに必要なエネルギーを有している。従って、初期化領域１３ｂだけでなく、光学情報記録媒体１の外周端近傍領域１３ａ及び内周端近傍領域１３ｃにおける記録層の温度も、フラッシュ光１２の照射により、初期化温度以上に急激に上昇する。前述のように、記録層で発生した熱は、記録層及び反射層等を通して周囲に拡散するが、外周端近傍領域１３ａより外側及び内周端近傍領域１３ｃより内側には記録層及び反射層が存在しないので、熱の拡散する方向が制限され、熱が蓄積される。そのため、図３（ｂ）に示すように、外周端近傍領域１３ａ及び内周端近傍領域１３ｃの温度は初期化領域１３ｂの温度よりも高くなり、外周端近傍領域１３ａ及び内周端近傍領域１３ｃでは熱歪みが大きくなり、記録層や反射層にクラックやシワが発生する。
【００４６】
一方、図３（ｃ）に示すように、図１に示す第１の実施例の光学情報記録媒体の初期化装置を用いて初期化を行った光学情報記録媒体１の場合、支持体２による光学情報記録媒体１の外周端近傍領域１３ａ及び内周端近傍領域１３ｃへの入射光量調節機能により、外周端近傍領域１３ａ及び内周端近傍領域１３ｃにおける照射強度は、初期化領域１３ｂにおける照射強度よりも小さくなっている。フラッシュ光１２の照射により、初期化領域１３ｂの温度は、初期化温度以上に急激に上昇する。しかしながら、外周端近傍領域１３ａ及び内周端近傍領域１３ｃの照射強度は初期化領域１３ｂへの照射強度に比べて少ないため、外周端近傍領域１３ａ及び内周端近傍領域１３ｃの温度上昇は小さい。従って、図３（ｄ）に示すように、外周端近傍領域１３ａ及び内周端近傍領域１３ｃでは、熱の拡散性が悪いにもかかわらず、外周端近傍領域１３ａ及び内周端近傍領域１３ｃの温度は初期化領域１３ｂの温度よりも低くなり、その大部分は初期化されない。また、熱歪みも小さく、記録層等にはクラックやシワは発生しない。
【００４７】
なお、光学情報記録媒体１の外周端近傍領域１３ａ及び内周端近傍領域１３ｃは、通常、実際の情報の記録再生において使用されないマージン領域である。従って、かかる領域が未初期化状態であっても何等問題はない。
【００４８】
次に、支持体２における凹み３の深さ、すなわち、枠体１４及び突起１５による壁の高さについて検討する。前述のように、光学情報記録媒体１を載置するテーブル１８の位置は、調節機構２１により調節可能である。テーブル１８の位置を調節することにより、枠体１４及び突起１５による壁の高さを調節することができる。また、枠体１４及び突起１５による壁の高さを調節することにより、光学情報記録媒体１上の入射光量が調節される領域の幅を変化させることができる。
【００４９】
この実施例の場合、光学情報記録媒体１はディスク状であるので、枠体１４及び突起１５による壁の高さをｄ、テーブル１８の表面から光学情報記録媒体１中の記録多層膜１６までの高さ（又は保護層２０の厚さ）をｈ、光学情報記録媒体１の半径をＡ、初期化領域１３ｂの最外周半径をａとして、ｄ≧ｈ＋（Ａ−ａ）を満足することが好ましい。この条件を満足する範囲内で、壁の高さｄが高いほど、光学情報記録媒体１の外周端近傍領域１３ａに対して斜めに入射する光線は遮られ、枠体１４及び突起１５による壁の入射光量調節の効果が発揮される。なお、保護層２０の厚さｈ及び光学情報記録媒体１の半径Ａは光学情報記録媒体１の固有のものであり、固定されている。従って、壁の高さｄを単純に高くすると、所望する初期化領域１３ｂの最外周半径ａが得られない場合がある。また、光学情報記録媒体１の内周端近傍領域１３ｃについても同様である。
【００５０】
このように、図１に示す第１の実施例の光学情報記録媒体の初期化装置を用いることにより、光学情報記録媒体１の外周端近傍領域１３ａ及び内周端近傍領域１３ｂへのフラッシュ光１２への入射光量を、初期化領域１３ｂへの入射光量よりも少なくなるように調節することができるので、外周端近傍領域１３ａ及び内周端近傍領域１３ｂにおける記録層の温度の過剰上昇を抑制でき、クラックやシワの発生を防止しつつ、初期化領域１３ｂのみを初期化することができる。また、図１０に示す従来の初期化装置のような遮光マスク及びその位置決め工程が不要となり、光学情報記録媒体の初期化に要する時間を大幅に短縮することができる。また、初期化作業自体は、光学情報記録媒体１を支持体２のテーブル１８上に載置した後、光照射装置１００によるフラッシュ光１２を発光させるという簡単な作業だけであり、多数の光学情報記録媒体１を短時間に効率よく初期化することができる。
【００５１】
なお、図１に示す第１の実施例の光学情報記録媒体の初期化装置では、支持体２の枠体１４と突起１５の高さを同じにしているが、これに限定されるものではない。例えば、光学情報記録媒体１の内周端近傍領域１３ｃの幅が、外周端近傍領域１３ａの幅よりも広い場合は、突起１５の高さを枠体１４の高さよりも高くなるようにすればよい。また、その逆の場合も同様である。
【００５２】
また、図１に示す第１の実施例の光学情報記録媒体の初期化装置では、支持体２に枠体１４及び突起１５の両方を設けているが、光学情報記録媒体１の内周端近傍領域１３ｃは、通常、光学情報記録媒体１を記録装置へ装着する時のチャッキング部として用いられるので、光学情報記録媒体１の実記録領域は内周端から離れている場合が多い。従って、光学情報記録媒体１の内周端近傍領域１３ｃにクラックやシワが発生しても、光学情報記録媒体１に記録されている信号の品質を劣化させる影響が少ないので、突起１５を省略してもよい。
【００５３】
また、この実施例では、光学情報記録媒体１としてディスク状のものを用いたが、これに限定されるものではなく、光学情報記録媒体１がカード状、シート状又はフィルム状の場合、支持体２の枠体１４及び突起１５の断面形状をこれらの光学情報記録媒体の形状に合致させればよい。
【００５４】
（第２の実施例）
本発明の光学情報記録媒体の初期化方法及び初期化装置の第２の実施例について説明する。図４は、第２の実施例の光記録媒体の初期化装置の構成を示す断面斜視図である。図５は、図４に示された初期化装置による光学情報記録媒体の初期化状態における符号Ｙで特定した円内の拡大断面図である。なお、図１及び図２（ａ）に示した第１の実施例と同じ符号は同一又は相当する部分を示す。
【００５５】
図４に示すように、支持体２Ａは、フラットなテーブル２２と、テーブル２２上に設けられたリング状の衝立部材（又は枠体）３０及び衝立部材３０の中心に設けられた円柱状の突起３１等で構成されている。
【００５６】
光学情報記録媒体１はリング状又は中央部にチャッキング用の穴を有するディスク状であり、衝立部材３０の内径は、光学情報記録媒体１の外径よりも所定の嵌合公差分だけ大きい。また、突起３１の外径は、光学情報記録媒体１の中央部の嵌合穴の径よりも所定の嵌合公差分だけ小さい。従って、光学情報記録媒体１は、テーブル２２上に載置されると、ほとんど動かず、極めて高い精度で位置決めされる。なお、照明装置１００は図１に示す第１の実施例のものと同じであるため、その説明を省略する。
また、第２の実施例の光学情報記録媒体の初期化方法は、上記第１の実施例における初期化方法と実質的に同じであるため、その説明を省略する。
【００５７】
図４に示す第２の実施例の光学情報記録媒体の初期化装置を用いて初期化を行った光学情報記録媒体１の表面における半径方向の照射強度分布は第１の実施例の場合と同様に図３（ｃ）に示すようになり、光学情報記録媒体１の半径方向の温度分布は図３（ｄ）に示すようになる。すなわち、図４及び図５に示すように、光学情報記録媒体１の外周端近傍領域１３ａには衝立部材３０及び突起３１が隣接しているため、これら衝立部材３０及び突起３１が外周端近傍領域１３ａ及び内周端近傍領域１３ｃへの入射光量調節機能を果たし、光照射装置１００からの斜めに入射するフラッシュ光１２がこれら衝立部材３０及び突起３１により遮られる。そのため、図３（ｃ）に示すように、外周端近傍領域１３ａ及び内周端近傍領域１３ｃにおける照射強度が、初期化領域１３ｂにおける照射強度よりも小さくなる。従って、図３（ｄ）に示すように、外周端近傍領域１３ａ及び内周端近傍領域１３ｃの記録層の温度は初期化領域１３ｂの温度よりも低くなり、その大部分は初期化されない。また、記録層の熱歪みも小さく、クラックやシワは発生しない。
【００５８】
次に、支持体２Ａにおける衝立部材３０及び突起３１による壁の高さについて検討する。高さの異なる衝立部材３０及び突起３１を各種用意することにより、光学情報記録媒体１上の入射光量が調節される領域の幅を変化させることができる。
この実施例の場合も、光学情報記録媒体１はディスク状であり、衝立部材３０及び突起３１による壁の高さをｄ、テーブル２２の表面から光学情報記録媒体１中の記録多層膜１６までの高さ（又は保護層２０の厚さ）をｈ、光学情報記録媒体１の半径をＡ、初期化領域１３ｂの最外周半径をａとして、ｄ≧ｈ＋（Ａ−ａ）を満足することが好ましい。この条件を満足する範囲内で、壁の高さｄが高いほど、光学情報記録媒体１の外周端近傍領域１３ａに対して斜めに入射する光線は遮られ、衝立部材３０及び突起３１による壁の入射光量調節の効果が発揮される。なお、保護層２０の厚さｈ及び光学情報記録媒体１の半径Ａは光学情報記録媒体１の固有のものであり、固定されている。従って、壁の高さｄを単純に高くすると、所望する初期化領域１３ｂの最外周半径ａが得られない場合がある。また、光学情報記録媒体１の内周端近傍領域１３ｃについても同様である。
【００５９】
なお、図４に示す第２の実施例の光学情報記録媒体の初期化装置では、支持体２Ａの衝立部材３０と突起３１の高さを同じにしているが、これに限定されるものではない。例えば、光学情報記録媒体１の内周端近傍領域１３ｃの幅が、外周端近傍領域１３ａの幅よりも広い場合は、突起３１の高さを衝立部材３０の高さよりも高くなるようにすればよい。また、その逆の場合も同様である。
【００６０】
また、図４に示す第２の実施例の光学情報記録媒体の初期化装置では、支持体２Ａに衝立部材３０及び突起３１の両方を設けているが、光学情報記録媒体１の内周端近傍領域１３ｃは、通常、光学情報記録媒体１を記録装置へ装着する時のチャッキング部として用いられるので、光学情報記録媒体１の実記録領域は内周端から離れている場合が多い。従って、光学情報記録媒体１の内周端近傍領域１３ｃにクラックやシワが発生しても、光学情報記録媒体１に記録されている信号の品質を劣化させる影響が少ないので、突起３１を省略してもよい。
【００６１】
また、この実施例では、光学情報記録媒体１としてディスク状のものを用いたが、これに限定されるものではなく、光学情報記録媒体１がカード状、シート状又はフィルム状の場合、支持体２Ａの衝立部材３０及び突起３１の断面形状をこれらの光学情報記録媒体の形状に合致させればよい。
【００６２】
（第３の実施例）
本発明の光学情報記録媒体の初期化方法及び初期化装置の第３の実施例について説明する。図６（ａ）は、第３の実施例の光記録媒体の初期化装置の構成を示す断面斜視図であり、図６（ｂ）は、図６（ａ）に示された初期化装置による光学情報記録媒体の初期化状態における符号Ｚで特定した円内の拡大断面図である。なお、図１及び図２（ａ）に示した第１の実施例と同じ符号は同一又は相当する部分を示す。
【００６３】
図６（ａ）に示すように、支持体２Ｂは、フラットなテーブル２３及びテーブル２３の上面２３ａに形成された低光反射部４３及び高光反射部４４等で構成されている。これら低光反射部４３及び高光反射部４４は、ディスク状の光学情報記録媒体１の形状に対応してリング状に形成されている。なお、照明装置１００は図１に示す第１の実施例のものと同じであるため、その説明を省略する。
【００６４】
低光反射部４３は、テーブル２３の材料自体の光の反射率よりも低い光の反射率を有する部分である。例えば、テーブル２３が金属である場合、表面を酸化して黒色の金属酸化膜を形成する。具体例としては、テーブル２３の材質がアルミニウムの場合、黒色アルマイト処理を行う。または、テーブル２３の表面に黒色の耐熱塗料を塗布するしてもよい。さらに、テーブル２３の表面にサンドブラスト処理を施して梨地状にしてもよい。
【００６５】
一方、高光反射部４４は、テーブル２３の材料自体の光の反射率よりも高い反射率を有する部分である。例えば、テーブル２３が金属である場合、研磨やバフ仕上げ等により金属光沢が出るように処理したり、メッキ処理を施す。また、テーブル２３が金属以外の材料で構成されている場合、例えば、鏡面処理を施した金属膜を貼り付けてもよい。
【００６６】
低光反射部４３は、テーブル２３の上面２３ａの光学情報記録媒体１の外周端近傍領域１３ａと内周端近傍領域１３ｃが配置される部分に形成される。また、高光反射部４４は、テーブル２３の上面２３ａの光学情報記録媒体１の初期化領域１３ｂが配置される部分に形成される。
【００６７】
次に、第３の実施例の光学情報記録媒体の初期化方法について説明する。まず、図６（ａ）に示すように、支持体２Ｂのテーブル２３の上面２３ａに光学情報記録媒体１を載置する。このとき、光学情報記録媒体１の外周端近傍領域１３ａと内周端近傍領域１３ｃが低光反射部４３上に載置され、初期化領域１３ｂが高光反射部４４上に載置されるように位置決めを行う。次に、光学情報記録媒体１の全面に光照射装置１００によるフラッシュ光１２を照射する。ここで、光学情報記録媒体１の記録層が厚さ２０ｎｍのＧｅ−Ｓｂ−Ｔｅ系合金層であり、反射層が厚み１０ｎｍのＡｕ層である場合、光学情報記録媒体１の透過率は約５０％であるので、光学情報記録媒体１に照射されたフラッシュ光１２のほぼ半分が透過する。
【００６８】
図６（ｂ）に示すように、光学情報記録媒体１内に入射したフラッシュ光１２は、その約半分が記録多層膜１６を透過し、さらに保護層２０を透過して低光反射部４３及び高光反射部４４に達する。高光反射部４４に達したフラッシュ光１２は、高光反射部４４により反射され、光記録媒体１内に再入射し、記録多層膜１６に吸収される。一方、低光反射部４３に到達したフラッシュ光１２は、低光反射部４３によりその大部分が吸収又は散乱され、ほとんど光記録媒体１内に再入射しない。従って、フラッシュ光１２の高光反射部４４上に載置された初期化領域１３ｂへの実質的な入射光量と、低光反射部４３上に載置された外周端近傍領域１３ａと内周端近傍領域１３ｃへの実質的な入射光量に差が生じる。その結果、外周端近傍領域１３ａ及び内周端近傍領域１３ｃの記録層では、熱の拡散性が悪いにもかかわらず、外周端近傍領域１３ａ及び内周端近傍領域１３ｃの温度は初期化領域１３ｂの温度よりも低くなり、その大部分は初期化されない。また、熱歪みも小さく、クラックやシワは発生しない。
【００６９】
図６（ａ）及び（ｂ）に示す第３の実施例の光学情報記録媒体の初期化装置により光学情報記録媒体１の全面にフラッシュ光１２を照射した場合の、光学情報記録媒体１の半径方向に温度分布を図７に示す。図７から明らかなように、高光反射部４４上に載置された初期化領域１３ｂの温度は、初期化温度以上に達しているが、低光反射部４３上に載置された外周端近傍領域１３ａと内周端近傍領域１３ｃの温度は低く、特に各端部近傍は初期化温度よりも低くなっていることがわかる。
【００７０】
なお、第３の実施例における光学情報記録媒体１の初期化作業は、光学記録媒体１を支持体２Ｂ上に配置した後、光照射装置１００によりフラッシュ光１２を発光させるだけであり、多数の光学情報記録媒体１を簡単な作業により効率よく初期化を行うことできる。
【００７１】
また、第３の実施例では、高光反射部４４及び低光反射部４３を共に、支持体２Ｂのテーブル２３の表面２３ａを表面処理することにより得たが、両者間の光反射率の差が充分に得られる場合は、いずれか一方をテーブル２３の表面、すなわち、テーブル２３の材料そのものの露出面としてもよい。
【００７２】
（第４の実施例）
本発明の光学情報記録媒体の初期化方法及び初期化装置の第４の実施例について説明する。図８（ａ）は、第４の実施例の光記録媒体の初期化装置の構成を示す断面斜視図であり、図８（ｂ）は、図８（ａ）に示された初期化装置による光学情報記録媒体の初期化状態における符号Ｖで特定した円内の拡大断面図である。なお、図１及び図２（ａ）に示した第１の実施例と同じ符号は同一又は相当する部分を示す。
【００７３】
図８（ａ）に示すように、支持体２Ｃは、テーブル２４の上面には、リング状の突起６１ａ及びリング状の突起６１ａの中心軸上の円柱状の突起６１ｂを有する。光学情報記録媒体１は突起６１ａ及び６１ｂにより支えられる。リング状の突起６１ａは光学情報記録媒体１の初期化領域１３ｂに対応する。また、リング状の突起６１ａの外側の凹み６２ａは光学情報記録媒体１の外周端近傍領域１３ａに対応する。さらに、リング状の突起６１ａと円柱状の突起６１ｂとの間のリング状の凹み６２ｂは光学情報記録媒体１の内周端近傍領域１３ｃに対応する。なお、リング状の突起６１ａの表面は、上記第３の実施例の場合の高光反射部４４の表面と同様に、鏡面処理等により高光反射率にしておくことが望ましい。また、各凹み６２ａ及び６２ｂの内面は、上記第３の実施例の場合の低光反射部４３の表面と同様に、サンドブラスト処理等により低光反射率にしておくのが望ましい。
【００７４】
次に、第４の実施例の光学情報記録媒体の初期化方法について説明する。まず、図８（ａ）に示すように、支持体２Ｃのテーブル２４の上面に光学情報記録媒体１を載置する。このとき、光学情報記録媒体１の外周端近傍領域１３ａと内周端近傍領域１３ｃが凹み６２ａ及び６２ｂ上に載置され、初期化領域１３ｂがリング状の突起６１ａ上に載置されるように位置決めを行う。次に、光学情報記録媒体１の全面に光照射装置１００によるフラッシュ光１２を照射する。ここで、光学情報記録媒体１の記録層が厚さ２０ｎｍのＧｅ−Ｓｂ−Ｔｅ系合金層であり、反射層が厚み１０ｎｍのＡｕ層である場合、光学情報記録媒体１の透過率は約５０％であるので、光学情報記録媒体１に照射されたフラッシュ光１２のほぼ半分が透過する。
【００７５】
図８（ｂ）に示すように、光学情報記録媒体１内に入射したフラッシュ光１２は、その約半分が記録多層膜１６を透過し、さらに保護層２０を透過して、リング状の突起６１ａ及び凹み６２ａ及び６２ｂに達する。リング状の突起６１ａに達したフラッシュ光１２は、その表面により反射され、光記録媒体１内に再入射し、記録多層膜１６に吸収される。一方、凹み６２ａ及び６２ｂに到達したフラッシュ光１２は、そのまま凹み６２ａ及び６２ｂに侵入し、凹み６２ａ及び６２ｂの内部で迷光となり、凹み６２ａ及び６２ｂの内面により吸収又は散乱され、ほとんど光記録媒体１内に再入射しない。従って、フラッシュ光１２のリング状の突起６１ａ上に載置された初期化領域１３ｂへの実質的な入射光量と、凹み６２ａ及び６２ｂ上に位置する外周端近傍領域１３ａと内周端近傍領域１３ｃへの実質的な入射光量に差が生じる。その結果、外周端近傍領域１３ａ及び内周端近傍領域１３ｃでは、熱の拡散性が悪いにもかかわらず、外周端近傍領域１３ａ及び内周端近傍領域１３ｃの温度は初期化領域１３ｂの温度よりも低くなり、その大部分は初期化されない。また、熱歪みも小さく、クラックやシワは発生しない。なお、第４の実施例の光学情報記録媒体の初期化装置により光学情報記録媒体１の全面にフラッシュ光１２を照射した場合の、光学情報記録媒体１の半径方向に温度分布は、図７に示す第３の実施例の場合と同様である。
【００７６】
なお、第４の実施例における光学情報記録媒体１の初期化作業は、光学記録媒体１を支持体２Ｃ上に配置した後、光照射装置１００によりフラッシュ光１２を発光させるだけであり、多数の光学情報記録媒体１を簡単な作業により効率よく初期化を行うことできる。
【００７７】
なお、図９（ａ）に示すように、支持体２Ｃのテーブル２４上にリング状の突起６１ａのみを形成し、中心軸上の円柱状の突起６１ｂを省略してもよい。あるいは、図９（ｂ）に示すように、テーブル２４上のリング状の突起６１ａの中央部を貫通穴６３としてもよい。
【００７８】
【発明の効果】
以上のように、本発明の光学情報記録媒体の初期化方法及び初期化装置の第１の構成では、光学情報記録媒体の外周端及び内周端に隣接するように壁を設けている。また、第２の構成は、光学情報記録媒体を支持するテーブルの表面に、光学情報記録媒体の初期化されるべき初期化領域（第２の領域）に対向する領域の反射率が外周端近傍領域（第１の領域）及び内周端近傍領域（第３の領域）に対向する領域の反射率よりも高くなるように、それぞれ光の反射率が異なる複数の領域を形成している。さらに、第３の構成では、光学情報記録媒体を支持するテーブルの表面のうち、少なくとも第１の領域及び第３の領域に対向する部分に凹部を形成している。そのため、光学情報記録媒体を初期化するためのフラッシュ光の内、光学情報記録媒体の外周端近傍領域及び内周端近傍領域に入射する光量が、初期化されるべき初期化領域に入射する光量よりも少なくなるので、外周端近傍領域及び内周端近傍領域の記録層の大部分を初期化することなく、初期化領域の記録層を初期化することができる。その結果、光学情報記録媒体の初期化領域の記録層が初期化された時点で、外周端近傍領域及び内周端近傍領域における記録層の温度上昇は低く、これらの領域における記録層にはクラックやシワは  ほとんど発生しない。
【図面の簡単な説明】
【図１】本発明の光記録媒体の初期化方法の実施に適用する初期化装置の第１の実施例の構成を示す断面斜視図
【図２】（ａ）は図１に示された初期化装置による光学情報記録媒体の初期化状態における符号Ｘで特定した円内の拡大断面図、（ｂ）は光学情報記録媒体１の外周端近傍領域１３ａ、内周端近傍領域１３ｃ及び初期化領域１３ｂの位置関係を示す図
【図３】（ａ）は比較例における光学情報記録媒体１の表面における半径方向の照射強度（入射光量）分布を示す図、（ｂ）は比較例における光学情報記録媒体１半径方向のの温度分布を示す図、（ｃ）は図１に示す第１の実施例の光学情報記録媒体の初期化装置を用いて初期化を行った光学情報記録媒体１の表面における半径方向の照射強度分布を示す図、（ｄ）は図１に示す第１の実施例の光学情報記録媒体の初期化装置を用いて初期化を行った光学情報記録媒体１の半径方向の温度分布を示す図
【図４】第２の実施例の光記録媒体の初期化装置の構成を示す断面斜視図
【図５】図４に示された初期化装置による光学情報記録媒体の初期化状態における符号Ｙで特定した円内の拡大断面図
【図６】（ａ）は第３の実施例の光記録媒体の初期化装置の構成を示す断面斜視図、（ｂ）は（ａ）に示された初期化装置による光学情報記録媒体の初期化状態における符号Ｚで特定した円内の拡大断面図
【図７】図６（ａ）及び（ｂ）に示す第３の実施例の光学情報記録媒体の初期化装置により光学情報記録媒体１の全面にフラッシュ光１２を照射した場合の、光学情報記録媒体１の半径方向に温度分布を示す図
【図８】（ａ）は第４の実施例の光記録媒体の初期化装置の構成を示す断面斜視図、（ｂ）は図８（ａ）に示された初期化装置による光学情報記録媒体の初期化状態における符号Ｖで特定した円内の拡大断面図
【図９】（ａ）は第４の実施例の光記録媒体の初期化装置の別の構成を示す断面斜視図、（ｂ）は第４の実施例の光記録媒体の初期化装置のさらに別の構成を示す断面斜視図
【図１０】従来の光記録媒体の初期化装置の構成を示す断面斜視図
【符号の説明】
１  ：光学情報記録媒体
１ａ：嵌合穴
２  ：支持体
２Ａ：支持体
２Ｂ：支持体
２Ｃ：支持体
３  ：凹み
４  ：フラッシュランプ
５  ：メインコンデンサ
６  ：電源
７  ：切り換えスイッチ
８  ：トリガスイッチ
９  ：トリガコイル
１０  ：トリガコンデンサ
１１  ：充電抵抗
１２  ：フラッシュ光
１３ａ：外周端近傍領域
１３ｂ：初期化領域
１３ｃ：内周端近傍領域
１４  ：枠体
１４ａ：底板
１５  ：突起
１６  ：記録多層膜
１７  ：閃光駆動回路
１８  ：テーブル
１９  ：基板
２０  ：表面保護層
２１  ：調節機構
２１ａ：おねじ
２２  ：テーブル
２３  ：テーブル
２３ａ：テーブルの上面
３０  ：衝立部材
３１  ：突起
４３  ：低光反射部
４４  ：高光反射部
６１ａ：突起
６１ｂ：突起
６２ａ：凹み
６２ｂ：凹み
６３  ：貫通穴
１００  ：光照射装置
【図１】
0003630355.tif 000002
【図２】
0003630355.tif 000003
【図３】
0003630355.tif 000004
【図４】
0003630355.tif 000005
【図５】
0003630355.tif 000006
【図６】
0003630355.tif 000007
【図７】
0003630355.tif 000008
【図８】
0003630355.tif 000009
【図９】
0003630355.tif 000010
【図１０】
0003630355.tif 000011